(57)【要約】【課題】演奏者に大きな負担をかけることなく鈴を鳴らすことが可能で、また、皮を叩きながら鈴を一定の強度・テンポで鳴らすような演奏の仕方も容易にできるタンバリンを提供すること。【解決手段】この考案のタンバリンは、枠体１に揺動可能に取り付けられた鈴２を有するタンバリンであって、枠体１にモーター３により回転する回転子４を設け、回転子４が鈴２に当たることにより鈴２が鳴るようにしたものとしている。回転子４を、回転中心からの距離が均一ではない外周形状を有するものとしたり、挿通孔に遊挿される回転軸体によって偏心回転するようにしたりすることができる。【選択図】  図１
0003125846.tif 000002
【実用新案登録請求の範囲】
【請求項１】
枠体（１）に揺動可能に取り付けられた鈴（２）を有するタンバリンであって、枠体（１）にモーター（３）により回転する回転子（４）を設け、回転子（４）が鈴（２）に当たることにより鈴（２）が鳴るようにしていることを特徴とするタンバリン。
【請求項２】
回転子（４）が、回転中心からの距離が均一ではない外周形状を有するものとした請求項１記載のタンバリン。
【請求項３】
回転子（４）が挿通孔（５）を有し、この挿通孔（５）に遊挿される回転軸体（６）によって偏心回転するようにした請求項１又は２記載のタンバリン。
【請求項４】
モーター（３）が枠体（１）の内周面に固定されているとともに、モーター（３）のシャフト（７）の先端付近に設けられた回転子（４）が枠体（１）の下端側から鈴（２）に当たるように、モーター（３）のシャフト（７）が枠体（１）の上端側から下端側に傾斜して配置されている請求項１、２又は３記載のタンバリン。
【請求項５】
枠体（１）の内周面にモーター（３）を駆動するための電池（８）とスイッチ（９）が固定されており、スイッチ（９）は、枠体（１）に設けられた指掛け部（１０）と鈴（２）との間であって枠体（１）の下端付近に位置したものである請求項１、２、３又は４記載のタンバリン。
【考案の詳細な説明】
【技術分野】
【０００１】
この考案は、打楽器であるタンバリン（パンデイロとも言う）に関するものである。
【背景技術】
【０００２】
従来、特許文献１に記載されているような、輪状の枠体の上端に皮を張り、枠体の数箇所に横長の長円形の孔を設け、各孔に上下方向の軸と、軸を貫通する２枚の小さなシンバル状の板からなる鈴を揺動可能に配したタンバリンが普及している。
【０００３】
この従来のタンバリンは、演奏者が枠体をその内面と外面にわたって手で掴んで支持しつつ、皮を叩いたり、鈴を揺らしたりすることにより、２種類の音が楽しめるようになっている
しかし、鈴を鳴らすためには、枠体を上下や左右に振る必要があり、長時間の演奏は演奏者にとって負担が大きい。また、皮を叩きながら鈴を一定の強度・テンポで鳴らすような演奏の仕方は極めて困難であった。
【特許文献１】実公平７−４９５１５号公報
【考案の開示】
【考案が解決しようとする課題】
【０００４】
そこで、この考案は、演奏者に大きな負担をかけることなく鈴を鳴らすことが可能で、また、皮を叩きながら鈴を一定の強度・テンポで鳴らすような演奏の仕方も容易にできるタンバリンを提供することを課題とする。
【課題を解決するための手段】
【０００５】
この考案のタンバリンは、枠体１に揺動可能に取り付けられた鈴２を有するタンバリンであって、枠体１にモーター３により回転する回転子４を設け、回転子４が鈴２に当たることにより鈴２が鳴るようにしたものとしている。
【０００６】
回転子４は、回転中心からの距離が均一ではない外周形状を有するものとすることができる。
【０００７】
回転子４が挿通孔５を有し、この挿通孔５に遊挿される回転軸体６によって偏心回転するようにしたものとすることもできる。
【０００８】
モーター３が枠体１の内周面に固定されているとともに、モーター３のシャフト７の先端付近に設けられた回転子４が枠体１の下端側から鈴２に当たるように、モーター３のシャフト７が枠体１の上端側から下端側に傾斜して配置されたものとすることもできる。
【０００９】
さらに、枠体１の内周面にモーター３を駆動するための電池８とスイッチ９が固定されており、スイッチ９は、枠体１に設けられた指掛け部１０と鈴２との間であって枠体１の下端付近に位置したものとすることができる。
【考案の効果】
【００１０】
この考案のタンバリンは、上述のような構成を有しており、演奏者に大きな負担をかけることなく鈴２を鳴らすことが可能で、また、皮１１を叩きながら鈴２を一定の強度・テンポで鳴らすような演奏の仕方も容易にできる。
【００１１】
回転子４を、回転中心からの距離が均一ではない外周形状を有するものとしたり、挿通孔５に遊挿される回転軸体６によって偏心回転するようにしたりすれば、鈴２を揺動させ、心地よい音が鳴るようにすることができる。
【００１２】
モーター３が枠体１の内周面に固定されているとともに、モーター３のシャフト７の先端付近に設けられた回転子４が枠体１の下端側から鈴２に当たるように、モーター３のシャフト７が枠体１の上端側から下端側に傾斜して配置されたものとすれば、演奏者は回転子４の動作状況を容易に確認することができる。
【００１３】
さらに、枠体１の内周面にモーター３を駆動するための電池８とスイッチ９が固定されており、スイッチ９は、枠体１に設けられた指掛け部１０と鈴２との間であって枠体１の下端付近に位置したものとすれば、演奏者は、前記指掛け部１０を握りつつ、人差し指でスイッチ９の操作を行うことができるので、より演奏が容易になる。
【考案を実施するための最良の形態】
【００１４】
以下、この考案の好適な実施形態を、図面を参照して説明する。
【００１５】
図１はこの考案の実施形態のタンバリンの下端側を上にした場合の斜視図、図２は回転子４を設けた付近の部分拡大斜視図、図３は回転子４とモーター３を分解した状態の斜視図、図４は使用状態を示す説明図である。
【００１６】
このタンバリンは、図１に示したように、枠体１に揺動可能に取り付けられた鈴２を有するタンバリンであって、枠体１にモーター３により回転する回転子４を設け、回転子４が鈴２に当たることにより鈴２が鳴るようにしたものである。このタンバリンは、タンバリン本体と、鈴２を鳴らすための部材から構成される。
【００１７】
タンバリン本体は、輪状の枠体１の上端に皮１１を張り、枠体１の数箇所に横長の長円形の孔１２を設け、各孔１２に上下方向の軸と、軸を貫通する２枚の小さなシンバル状の板からなる鈴２を揺動可能に配したものであり、従来一般に市販されているタンバリンをそのまま用いることができる。
【００１８】
また、図２に示したように、枠体１には、下端側の１箇所に浅い凹み１３が形成されているとともに、その内周面に略コ字状の指掛け部１０が設けられている。演奏者は親指で枠体１の外周面を押さえつつ、他の指をこの指掛け部１０に掛けて枠体１を握ることにより、安定的にタンバリンを支持することができる。
【００１９】
鈴を鳴らすための部材は、回転子４と、モーター３等からなる駆動装置から構成される。回転子４は、金属製で内側に楕円形の挿通孔５を有する六角ナット状としている。回転子４は、六角形その他の多角形としたり、楕円形としたり、あるいは真円であっても回転中心を中心からずらしたりなどすることにより、回転中心からの距離が均一ではない外周形状を有するものとすることができる。
【００２０】
駆動装置は、モーター３、回転子取付具１４、電池８、スイッチ９、並びにモーター３、スイッチ９及び電池８間をつなぐリード線からなる。
【００２１】
モーター３は、その胴部をまたぐようにして設けられる取付具１５によって、タンバリン本体の枠体１の内周面に固定されている。モーター３のシャフト７は、枠体１の上端側から下端側に傾斜して配置されており、回転子４が枠体１の下端側（皮１１が張られていない側）から鈴２に当たるようになっている。そのため、演奏者は回転子４の動作状況を容易に確認することができる。また、回転子４が鈴２の縁部に当たるように設ければ、鈴２を効果的に揺動させることができる。
【００２２】
枠体１の内周面には、モーター３を駆動するための電池８とスイッチ９が固定されている。スイッチ９は、枠体１に設けられた指掛け部１０と鈴２との間であって枠体１の下端付近に位置している。
【００２３】
回転子取付具１４は、図３に示したように、モーター３のシャフト７の先端部において固定された下部１４ａと、回転子４を前記下部１４ａとの間に挟むようにした上部１４ｂとからなる。回転子取付具１４の下部１４ａは、回転子４の挿通孔５に通らない大きさとした、シャフト７と回転中心を同じくする短い円柱状で、中央に前記上部１４ｂが螺合する螺子穴１６を有している。
【００２４】
回転子取付具１４の上部１４ｂは、ボルト状で、その頭部１７が回転子４の挿通孔５に通らない大きさとした、シャフト７と回転中心を同じくする短い円柱状で、回転子４の抜け止めとして機能する。頭部１７の上面にはドライバー用の溝が形成されており、そして、この頭部１７から下方に、前記螺合穴１６と螺合する螺子１８が形成されている。この螺子１８は、回転子４の挿通孔５に遊挿され、後述のとおり、回転軸体６として機能することにより、回転子４を偏心回転させられるようになっている。
【００２５】
回転子取付具１４の上部１４ｂと下部１４aとの間隔は、上部１４ｂをドライバーで回転させることによって適宜調節することができ、これによって回転子４の動きを変化させることが可能である。なお、回転子４は、シャフト７に直接に固定されたものとしてもよい。
【００２６】
電池８は、市販の充電可能な電池８や乾電池８等を使用することができる。電池８は、枠体１の内周面において、前記指掛け部１０に掛ける指の邪魔にならないように、指掛け部１０を設けた位置の上端側（皮１１を張った側）に設けられている。
【００２７】
スイッチ９は、スライド式で、枠体１の周方向と略平行にスライドさせられるようにして設けられている。スイッチ９は、前記指掛け部１０と鈴２との間であって枠体１の下端付近に位置しているため、演奏者は、図４に示したように、前記指掛け部１０を握りつつ、人差し指でスイッチ９の操作を行うことができる。スイッチ９は、モーター３の電源のオン・オフを切り替えるだけのものでよいが、さらに、シャフト７の回転速度を変えられるようにしたものであってもよい。
【００２８】
このタンバリンは、モーター３により回転する回転子４により、自動的に鈴２を鳴らすことができるので、演奏者に大きな負担をかけることがなく、また、皮１１を叩きながら鈴２を一定の強度・テンポで鳴らすような演奏の仕方も容易である。
【００２９】
しかも、回転子４は、回転中心からの距離が均一ではない外周形状を有するため、回転子４と鈴２との接触具合が常に一定ではなく、周期的に変化し、鈴２がよく揺動するので、回転子４が鈴２に強く当たることとなり、確実に音が鳴る。特に、回転子４の外周形状を多角形とすると、角部が鈴２に当たるごとに鋭敏に音を鳴らすことができる。さらに、回転子４は偏心回転するようになっているので、鈴２がより大きく揺動し、しっかりとした心地よい音が鳴るようになっている。
【００３０】
以上がこの考案のタンバリンの一実施形態であるが、各部の形状、寸法、材質等は、適宜変更して実施することが可能である。
【図面の簡単な説明】
【００３１】
【図１】この考案の実施形態のタンバリンの、下端側を上にした場合の斜視図である。
【図２】この考案の実施形態のタンバリンの部分拡大斜視図である。
【図３】この考案の実施形態のタンバリンの、回転子とモーターを分解した状態の斜視図である。
【図４】この考案の実施形態のタンバリンの使用状態を示す説明図である。
【符号の説明】
【００３２】
１  枠体
２  鈴
３  モーター
４  回転子
５  挿通孔
６  回転軸体
７  シャフト
８  電池
９  スイッチ
１０  指掛け部
【図１】
0003125846.tif 000003
【図２】
0003125846.tif 000004
【図３】
0003125846.tif 000005
【図４】
0003125846.tif 000006